(57)【要約】      （修正有）【課題】一方向に広い照射範囲を有する照明装置の小型化及び照明装置の製造コストを低減する。【解決手段】発光ダイオード素子１と、発光ダイオード素子１の光を反射する反射板４とを備え、反射板４は、発光ダイオード素子１の光を一方向に拡散させる方向に反射させる２つの曲面４Ｌ、４Ｒが形成され、２つの曲面４Ｌ、４Ｒは、発光ダイオード素子１を境に、一方向に隣り合うように連設されている。【選択図】図３
2012195238.tif 000002
【特許請求の範囲】
【請求項１】
発光ダイオード素子と、該発光ダイオード素子の光を反射する反射板とを備え、前記反射板は、前記発光ダイオード素子の光を一方向に拡散させる方向に反射させる２つの曲面が形成され、該２つの曲面は、前記発光ダイオード素子を境に、前記一方向に隣り合うように連設されていることを特徴とする照明装置。
【請求項２】
前記反射板が着脱自在であることを特徴とする請求項１記載の照明装置。
【発明の詳細な説明】
【技術分野】
【０００１】
本発明は、発光ダイオード素子を用いた照明装置に関し、詳しくは、一方向に広い照射範囲を有する照明装置に関する。
【背景技術】
【０００２】
一方向に広い照射範囲を有する照明装置は、例えば、光を道路の長手方向に沿って照射する防犯用の街路灯に用いられている。このような照明装置には、一般的に水銀灯が用いられていたが、最近では、下記特許文献１に開示されているような発光ダイオード素子（以下、「ＬＥＤ」という）を用いた照明装置も使用されるようになってきている。
【０００３】
特許文献１に記載の照明装置は、中空管に複数のＬＥＤを内蔵してなる複数の発光体を、断面円弧状の保持部に、その円弧に沿って取付けることによって、一方向に広い照射範囲を有するようにしている。
【先行技術文献】
【特許文献】
【０００４】
【特許文献１】特開２００９−１７６５６７号公報
【発明の概要】
【発明が解決しようとする課題】
【０００５】
しかしながら、この特許文献１の従来技術では、複数のＬＥＤを内蔵してなる発光体を相当数必要とし、しかも、この発光体を取付ける断面円弧状の保持部を要するため、照明装置が大型化してしまうという問題があった。また、照明装置の製造コストが高く、この照明装置が高価なものになってしまうという問題もあった。
【０００６】
本発明は、このような問題に対処することを課題の一例とするものである。すなわち、一方向に広い照射範囲を有する照明装置の小型化ができること、照明装置の製造コストを低減できること、小型化することで照明装置の設置やメンテナンスが容易にできること、製造コストを低減することで照明装置を安価にできること、等が本発明の目的である。
【課題を解決するための手段】
【０００７】
このような目的を達成するために、本発明による照明装置は、以下の構成を少なくとも具備するものである。
【０００８】
発光ダイオード素子と、該発光ダイオード素子の光を反射する反射板とを備え、前記反射板は、前記発光ダイオード素子の光を一方向に拡散させる方向に反射させる２つの曲面が形成され、該２つの曲面は、前記発光ダイオード素子を境に、前記一方向に隣り合うように連設されていることを特徴とする。
【０００９】
前記反射板は、着脱自在であることが好ましい。
【発明の効果】
【００１０】
このような特徴を有することで本発明は、以下の効果を奏する。すなわち、反射板によって発光ダイオード素子からの光を一方向に沿って拡散させて、照射範囲を確保する構成であるので、一方向に広い照射範囲を有する照明装置の小型化ができるとともに、照明装置の製造コストを低減できる。小型化することで照明装置の設置やメンテナンスが容易にでき、製造コストを低減することで照明装置を安価にできる。
【図面の簡単な説明】
【００１１】
【図１】本発明の実施形態に係る照明装置の断面図。
【図２】図１の（２）−（２）線断面図。
【図３】図１の（３）矢視図。
【発明を実施するための形態】
【００１２】
ここで、一方向とは、道路の長手方向を含む照射範囲の広い方向を意味する。
【００１３】
ここで、照明装置は、電柱や建物の壁面等に設置され、道路の長手方向に沿って光を照射する防犯用に用いられるものである（防犯灯）。このような防犯灯は、社団法人日本防犯設備協会が定める照度基準を満足できるように、道路の長手方向に沿って一定間隔で複数設置される。
【００１４】
前述の防犯灯の照度基準は、クラスＡ及びクラスＢと呼ばれるものがある。クラスＡは、水平面照度（平均値）５ルクス以上、鉛直面照度（最小値）１ルクス以上であって、４ｍ先の歩行者の顔の概要が識別できる照度である。クラスＢは、水平面照度（平均値）３ルクス以上、鉛直面照度（最小値）０．５ルクス以上であって、４ｍ先の歩行者の挙動・姿勢等がわかる照度である。
【００１５】
クラスＡ又はクラスＢのいずれの防犯灯を採用するかは、設置される道路状況や防犯上の重要性、歩行者数や交通量、周辺環境の明るさ、コスト等に応じて任意に決定できる。
【００１６】
防犯灯の設置間隔は、前述のクラスＡ又はクラスＢで定められた照度が確保できる間隔であればよく、少なくとも、クラスＡで６ｍ以上、クラスＢで１０ｍ以上あればよい。
【００１７】
以下、本発明の実施形態に係る照明装置を図面に基づいて説明する。図１〜図３は、照明装置Ａの概略構成図である。この照明装置Ａは、道路（図示せず）の長手方向（一方向）に沿って光を照射する防犯用に用いられる防犯灯である。
【００１８】
照明装置Ａは、光源として複数の発光ダイオード素子（以下「ＬＥＤ」という）１を配した発光ユニット２と、発光ユニット２を駆動するための電源を形成する電源ユニット３と、発光ユニット２の光を反射させる反射板４と、発光ユニット２と光軸方向で対向するように配されたレンズ５とを備え、これら発光ユニット２，電源ユニット３，反射板４，レンズ５がケーシングＢに収容されている。
【００１９】
ケーシングＢは、発光ユニット２，電源ユニット３，反射板４，レンズ５を収容する収容体Ｂ１と、収容体Ｂ１を開閉する蓋体Ｂ２とを備えている。
【００２０】
収容体Ｂ１には、照明装置Ａを電柱等に取付けるための取付け枠Ｂ３が備えられている。また、収容体Ｂ１の外壁には、多数の放熱板Ｂ４が形成されており、この放熱板Ｂ４を介してケーシングＢ内の熱を放熱するようになっている。
【００２１】
蓋体Ｂ２は、収容体Ｂ１の開口部Ｂ１０を開閉するように、蓋体２の一辺側が開口部Ｂ１０の一辺側に回転可能に軸支されている。
【００２２】
開口部Ｂ１０の他辺側には、蓋体２の閉状態を保持及び保持解除する係止部Ｂ１１が備えられており、この係止部Ｂ１１が蓋体２に係合することによって蓋体２の閉状態を保持し、係止部Ｂ１１の係合状態を解除することで蓋体２が回転して開口部Ｂ１０が開放されるようになっている。
【００２３】
蓋体Ｂ２は係合解除されると自重によって回転して開口部Ｂ１０を開放するようになっている。蓋体Ｂ２には、発光ユニット２からの光を外部に通過させる通過口Ｂ２０が開口され、この通過口Ｂ２０がくもりガラスＢ２１により塞がれている。このくもりガラスＢ２１は、ＬＥＤ１からの光を増幅する凸レンズとなっている。
【００２４】
取付け枠Ｂ３は、平面視コ形に形成され、その両端部Ｂ３０、Ｂ３０が収容体Ｂ１に対して回転可能、且つ固定可能に軸支されている。取付け枠Ｂ３を電柱（図示せず）や壁面（図示せず）に固定した状態で、収容体Ｂ１を回転させて設置角度を調整し、所定の角度で収容体Ｂ１を固定するようになっている。
【００２５】
発光ユニット２は、複数のＬＥＤ１を基板２０に埋め込み固定するとともに、基板２０におけるプリント配線（図示せず）を介して直列接続して構成され、電源ユニット３と接続することでＬＥＤ１に電気を供給するようになっている。基板２０は、反射板４の中央部にＬＥＤ１が地面方向（図において下向き）を向くように配置されている。
【００２６】
電源ユニット３は、外部電源（図示せず）に接続されるコンセントプラグ３０を備えた電源ケーブル３１が備えられており、この電源ユニット３が前述の外部電源からの電気を発光ユニット２に供給するようになっている。
【００２７】
反射板４は、収容体Ｂ１の発光ユニット２を除く内壁面の全域に配されており、発光ユニット２の光を道路の長手方向（図１において左右方向）に拡散するように反射可能な２つの曲面４Ｌ、４Ｒが形成されている。曲面４Ｌ、４Ｒは、道路の長手方向に沿って曲げ形成され、発光ユニット２を境に道路の長手方向で隣り合うように連設されている。
【００２８】
反射板４は、例えば、合成樹脂材やアルミニウム材を用いて所定形状に形成し、少なくとも、曲面４Ｌ、４Ｒをメッキ及び鏡面仕上げすることによって光を反射させることができるようになっている。
【００２９】
反射板４の中央には、発光ユニット２が貫通する貫通孔４０が開孔されており、この貫通孔４０に発光ユニット２を貫通させた状態で、収容体Ｂ１にビス４１で着脱可能に取付けられている。
【００３０】
尚、曲面４Ｌ、４Ｒは、光を反射させることができる加工がされていればよく、例示したメッキ及び鏡面仕上げに限らない。
【００３１】
このような反射板４は、道路の長手方向に沿って曲げ形成された曲面４Ｌ、４Ｒによって、発光ユニット２の側部からの光を道路の長手方向に沿って拡散するように反射させることができる。
【００３２】
反射板４の曲面４Ｌ、４Ｒで、発光ユニット２の光を道路の長手方向に沿って拡散するように反射させることによって、ＬＥＤ１又は発光ユニット２を増設することなく、光を増幅することで、この光を道路の長手方向に沿って広い範囲で照射することができる。
【００３３】
また、ＬＥＤ１又は発光ユニット２を増設する必要がないため、広い照射範囲を備える照明装置Ａの小型化が実現できるとともに、照明装置Ａの製造コストを低減できる。そして、照明装置Ａを小型化することで、この照明装置Ａの設置やメンテナンスが容易にでき、照明装置Ａの製造コストを低減することで、照明装置Ａを安価にできる。
【００３４】
更に、曲率の異なる曲面４Ｌ、４Ｒとする反射板４を備えた照明装置Ａに交換することで、道路の長手方向に沿う照射範囲を変更することができる。
【００３５】
尚、本発明は、例示した実施の形態に限定するものではなく、特許請求の範囲の各項に記載された内容から逸脱しない範囲の構成による実施が可能である。
【符号の説明】
【００３６】
Ａ：照明装置
１：ＬＥＤ（発光ダイオード素子）
４：反射板
４Ｌ：曲面
４Ｒ：曲面
【図１】
2012195238.tif 000003
【図２】
2012195238.tif 000004
【図３】
2012195238.tif 000005